(57)【要約】【課題】簡単に天井に組み付けることができ、かつ、使用しない場合でも目立ち難いプロジェクターを提供する。【解決手段】本発明のプロジェクター１は、光源部１０と、映像入力信号に応じて映像光を生成する映像生成部２０と、光源部１０からの光を映像生成部２０へ導く導光部３０と、生成された前記映像光を投写する投写部４０と、これらの光源部１０、映像生成部２０、導光部３０および投写部４０からなる映像投写要素を収容する筐体５０と、筐体５０を天井部１００に係止する取付体５５と、を備えている。そして、筐体５０が筒形状とされ、取付体５５により、天井部１００に形成された孔部１０２を通して天井部１００に埋め込まれた状態に係止させ、筐体５０の底面部５０ｄに、前記映像光を筐体５０の外部へ出射する投光口９０が形成されている。【選択図】図１
2016145850.tif 000002
【特許請求の範囲】
【請求項１】
光源部を有し映像光を投写する映像投写要素と、
前記映像投写要素を収容する筐体と、
前記筐体を天井部に取付ける取付体と、
を備え、
前記筐体が筒形状とされ、この筐体が、前記取付体により、前記天井部に形成された孔部を通して天井部に埋め込まれた状態に取付けられ、
前記筐体の底面部に、前記映像光を前記筐体の外部へ出射する投光口が形成されている
ことを特徴とするプロジェクター。
【請求項２】
前記取付体が、前記筐体が天井部に形成された孔部を通った状態で径方向に開いて天井裏から係止する抜け止め材で構成されていることを特徴とする請求項１に記載のプロジェクター。
【請求項３】
筐体の外部に空気を排出する排気口が、前記筐体における天井裏空間に臨む箇所に設けられていることを特徴とする請求項１または２に記載のプロジェクター。
【請求項４】
筐体の内部に空気を吸引する吸気口が、前記筐体における天井裏空間に臨む箇所に設けられていることを特徴とする請求項３に記載のプロジェクター。
【請求項５】
前記筐体の上部に傾斜面が形成され、前記傾斜面に前記排気口が設けられていることを特徴とする請求項３または４に記載のプロジェクター。
【請求項６】
前記筐体における前記排気口が形成されている傾斜面が二重に形成され、これらの傾斜面が重なった箇所に対して直交する方向に見て、排気口同士の位置が重なっていないことを特徴とする請求項５に記載のプロジェクター。
【発明の詳細な説明】
【技術分野】
【０００１】
本発明はプロジェクター（投写型映像表示装置）に関するものである。
【背景技術】
【０００２】
壁面や床面、スクリーンなどに各種の映像などを投写するプロジェクター（投写型映像表示装置）は広く知られている。従来のプロジェクターとしては、テーブルや床などに載置されるいわゆる床置き型のものと、天井から吊り下げた状態で使用される、いわゆる吊り下げ型のものとがある。床置き型のプロジェクターでは、使用しない場合には、当該プロジェクターが邪魔となることが多く、この場合には、当該プロジェクターをテーブルなどの上から片づける必要がある。これに対して、吊り下げ型のプロジェクターは、天井の近傍に配設されるため、使用しない場合でも、当該プロジェクターが邪魔とならず、片づけなくても済む利点がある。前記吊り下げ型のプロジェクターは、例えば、特許文献１、２等に開示されている。
【０００３】
吊り下げ型のプロジェクターでは、プロジェクターの本体部（映像投写要素）が内蔵されている箱型の筐体の上面部に頑丈な支持用支柱が取り付けられるとともに、天井に固定用支持板などが取り付けられる。そして、前記固定用支持板および前記支持用支柱を介して、プロジェクターの筐体を吊り下げられた状態で支持させている。また、専用の電気配線やコネクタなど別途設けて接続する構成である。
【先行技術文献】
【特許文献】
【０００４】
【特許文献１】特開２００９−２０４９０２号公報
【特許文献２】特開２００４−２７１９６４号公報
【発明の概要】
【発明が解決しようとする課題】
【０００５】
しかし、上記したように、吊り下げ型のプロジェクターは、大掛かりで専用の固定用支持板や支持用支柱、並びに専用の電気配線などが必要となる。したがって、吊り下げ型のプロジェクターを天井に取り付ける際には多くの手間や時間がかかってしまうという課題がある。また、このプロジェクターは、その形状が大きく、目立ってしまうため、使用しない場合に違和感を生じてしまうことがある。
【０００６】
本発明は上記課題を解決するもので、天井部に簡単に組み付けることができ、かつ、使用しない場合でも目立ち難いプロジェクターを提供することを目的とするものである。
【課題を解決するための手段】
【０００７】
上記課題を解決するために、本発明のプロジェクターは、光源部を有し映像光を投写する映像投写要素と、前記映像投写要素を収容する筐体と、前記筐体を天井部に取付ける取付体と、を備え、前記筐体が筒形状とされ、この筐体が、前記取付体により、前記天井部に形成された孔部を通して天井部に埋め込まれた状態に取付けられ、前記筐体の底面部に、前記映像光を前記筐体の外部へ出射する投光口が形成されていることを特徴とする。
【０００８】
この構成によれば、天井部に形成された孔部に、映像投写要素が収容された筐体を差し込み、取付体により、天井部に埋め込まれた状態に簡単に組み付けることができる。また、プロジェクターが天井部に埋め込まれた状態で配設されるため、使用しない場合でも目立ち難く、違和感を生じてしまうことが殆ど無い。
【０００９】
また、本発明の前記取付体が、前記筐体が天井部に形成された孔部を通った状態で径方向に開いて天井裏から係止する抜け止め材で構成されていることを特徴とする。この構成によれば、抜け止め材で構成される取付体によって、当該プロジェクターを天井部に簡単に組み付けることができる。
【００１０】
また、本発明は、筐体の外部に空気を排出する排気口が、前記筐体における天井裏空間に臨む箇所に設けられていることを特徴とする。この構成によれば、光源部などで発生する熱により暖められた筐体内部の空気を天井裏空間に排出することができ、熱により暖められた空気が投光口から投光される経路を通って、映像が揺らいでしまうなどの不具合を生じることを防止できる。すなわち、例えば、筐体の外部に空気を排出する排気口を、筐体の底面部に設けて、内部の熱により暖められた空気が、室内空間における投光口の下方を通るように構成すると、密度の異なる部分がある空気の中で光が屈折して、投射する映像が揺らいでしまい、不鮮明となったり、変形したりする不具合を生じることがある。これに対して、本構成によれば、このような不具合を生じることを防止できる。
【００１１】
また、本発明は、筐体の内部に空気を吸引する吸気口が、前記筐体における天井裏空間に臨む箇所に設けられていることを特徴とする。この構成によれば、天井裏空間の空気が吸気口から吸引され、排気口から天井裏空間に排出することができる。これにより、天井裏空間の空気が吸引されるので、投光口から映像光が投射される室内空間の空気を乱すことがない。
【００１２】
また、本発明は、前記筐体の上部に傾斜面が形成され、前記傾斜面に前記排気口が設けられていることを特徴とする。この構成によれば、排気口が筐体の上面部に設けられている場合と比較して、埃などが排気口を通して筐体の内部に侵入することを少なめに抑えることができる。
【００１３】
また、本発明は、前記筐体における前記排気口が形成されている傾斜面が二重に形成され、これらの傾斜面が重なった箇所に対して直交する方向に見て、排気口同士の位置が重なっていないことを特徴とする。この構成によれば、埃などが排気口を通して筐体の内部に侵入することをさらに少なく抑えることができる。
【発明の効果】
【００１４】
本発明によれば、映像投写要素を収容する筐体を筒形状とし、この筐体を取付体により、天井部に埋め込まれた状態に取り付けることにより、前記筐体を天井部に簡単に、すなわち手間や時間をあまりかかけることなく、組み付けることができる。また、プロジェクターが天井部に埋め込まれた状態で配設されるため、使用しない場合でも目立ち難く、違和感を生じてしまうことが殆ど無い。また、いわゆるダウンライトが取り付けられていた箇所などに、ダウンライトが取り付けられていた孔を利用して当該プロジェクターを組み付けることも可能となり、その際の手間や時間も最小限に済ませることができる。
【００１５】
また、前記筐体を天井部に係止する取付体を、前記筐体が天井部に形成された孔部を通った状態で径方向に開いて天井裏から係止する抜け止め材で構成することで、極めて簡単に天井部に組み付けることができる。また、抜け止め材で取付体を構成するため、取付体を安価なもので構成できる。つまり、従来から用いられているいわゆる吊り下げ型のプロジェクターでは、大掛かりで専用の取付具である固定用支持板や支持用支柱が必要となって、多額の費用が掛かってしまっていたが、本構成によれば、いわゆる抜け止め材で取付体を構成するため、安価なもので済ますことができる利点がある。
【００１６】
また、筐体の外部に空気を排出する排気口を、前記筐体における天井裏空間に臨む箇所に設けることにより、光源部などで発生する熱により暖められた筐体内部の空気を天井裏空間に排出することができ、熱により暖められた空気が投光口から投光される経路を通って、映像が揺らいでしまうなどの不具合を生じることを防止できる。
【００１７】
また、筐体の内部に空気を吸引する吸気口を、前記筐体における天井裏空間に臨む箇所に設けることにより、投光口から映像光が投射される室内空間の空気を乱すことがない。これにより、室内空間において乱れた空気とともに埃が舞うなどして、投光口から投射された映像光が埃により遮られるなどの可能性を低減させることができる。また、吸気口および排気口を通して、映像光が投射される室内空間から外部に音が漏れることを最小限に抑えることができる。つまり、吸気口が、前記筐体における底面部に形成されていると、室内空間の音が吸気口および排気口を通して天井裏空間に漏れ、さらに外部に拡がる恐れがあるが、この構成によれば、このような不具合を防止できる。
【００１８】
また、前記筐体の上部に傾斜面を形成し、前記傾斜面に前記排気口を設けることにより、排気口が筐体の上面部に設けられている場合と比較して、埃などが排気口を通して筐体の内部に侵入することを少なめに抑えることができる。
【００１９】
また、前記筐体における前記排気口が形成されている傾斜面を二重に形成し、これらの傾斜面が重なった箇所に対して直交する方向に見て、排気口同士の位置が重なっていないよう構成することで、埃などが排気口を通して筐体の内部に侵入することをさらに少なく抑えることができて、信頼性が向上する。
【図面の簡単な説明】
【００２０】
【図１】本発明の実施の形態に係るプロジェクターを簡略的に示す断面正面図
【図２】同プロジェクターの部分切欠正面図
【図３】同プロジェクターの構成を示すブロック図
【図４】同プロジェクターの第１の使用例を説明する模式図
【図５】同プロジェクターの第２の使用例を説明する模式図
【図６】同プロジェクターの第３の使用例を説明する模式図
【図７】同プロジェクターの第４の使用例を説明する模式図
【図８】他の実施の形態に係るプロジェクターの断面正面図
【図９】（ａ）および（ｂ）は、その他の実施の形態に係るプロジェクターの要部正面断面図および要部平面図
【図１０】さらに他の実施の形態に係るプロジェクターの断面正面図
【図１１】さらに他の実施の形態に係るプロジェクターの部分切欠正面図
【発明を実施するための形態】
【００２１】
以下、本発明の実施の形態を図面に基づき説明する。
図１は本発明の実施の形態に係るプロジェクターを簡略的に示す断面正面図、図２は同プロジェクターの部分切欠正面図、図３は同プロジェクターの構成を示すブロック図である。
【００２２】
図１、図２、および図４〜図７などに示すように、本発明の実施の形態に係るプロジェクター（投写型映像表示装置）１は、光源部１０などを有して映像光を投写する映像投写要素を収容する筐体５０が、天井部１００に埋め込まれた状態で配設されている（ただし、後述するように、電源部８０は天井裏空間１０１に配設している）。
【００２３】
図１〜図３に示すように、このプロジェクター１は、光源部１０と、映像入力信号に応じて映像光を生成する映像生成部２０と、光源部１０からの光を映像生成部２０へ導く導光部（導光光学系）３０と、生成された前記映像光をスクリーンなどの被投写物（図示せず）に投写する投写部（投写光学系）４０と、光源部１０や映像生成部２０などの制御を行う制御部７０と、光源部１０、映像生成部２０、導光部３０および投写部４０からなる映像投写要素を収容する筐体５０と、筐体５０を天井部１００に係止するなどして取付ける取付体５５と、筐体５０内に外気を吸引して排出する送風部６０と、光源部１０や映像生成部２０などの制御を行う制御部７０などを備えている。
【００２４】
なお、この実施の形態では、プロジェクター１は、さらに、電源部（電源ユニット）８０を有しており、電源部８０は、光源部１０などの映像投写要素が収容されている筐体５０とは別体とされ、接続配線８１を介して、電源部８０と、筐体５０に収容されている制御部７０や光源部１０などが接続されている。なお、図２における８２は、天井裏空間１０１に配設されている給電用の屋内配線で、電源部８０に接続されている。
【００２５】
図１に示すように、筐体５０は、側面部５０ａと上面部５０ｂと底面部５０ｄとを有する筒形状とされている。また、この実施の形態では、上面部５０ｂは、外側が上方となる単なる平面形状とされている。なお、底面部５０ｄは側面部５０ａや上面部５０ｂとは別部材で構成されているが、光源部１０や映像生成部２０、制御部７０などが収容された状態で側面部５０ａの下端部内側に装着されている。また、この実施の形態では、筐体５０の側面部５０ａの下端部外周に、外周側に鍔状に延びる鍔状枠部５０ｃが一体形成されている。
【００２６】
筐体５０における側面部５０ａと鍔状枠部５０ｃとの接続部近傍箇所には、例えば弾性を有する板ばねを径方向外側に向かって斜め上方に湾曲させて形成した抜け止め材からなる取付体５５が、周方向一定角度毎に複数（例えば、１２０度毎に３箇所）取り付けられている。また、天井部１００におけるプロジェクター１の筐体５０が組み付けられる箇所には、筐体５０を挿入させて組み付け可能な孔部１０２が形成されている。そして、当該プロジェクター１を組付ける際には、各取付体５５の上端部を筐体５０の側面部５０ａに密着させるようにしてすぼませ、天井部１００より下方の室内空間１１０側から筐体５０を上方に向けて挿入させる。筐体５０を孔部１０２から通過させると、図１に示すように、各取付体５５がその弾性力で外側（外径方向）に開いた状態となる。これにより、天井部１００が取付体５５と鍔状枠部５０ｃとにより上下から挟まれ、筐体５０が天井部１００に埋め込まれた状態（より具体的には、天井裏空間１０１に突出した状態）で係止されて固定される。なお、筐体５０を天井部に組付ける前に、予め、電源部８０に給電用の屋内配線８２を接続し、天井部１００の孔部１０２を通すなどして、天井部１００上に配設（載置）しておく。
【００２７】
この実施の形態では、筐体５０内に、光源部１０、映像生成部２０、導光部３０、投写部４０、送風部６０、および制御部７０などが配設されている。また、筐体５０の底面部５０ｄは、天井部より下方の室内空間１１０に臨む状態で配設され、この筐体５０の底面部５０ｄに、映像光を筐体５０の外部へ出射する投光口９０が形成されている。
【００２８】
また、筐体５０における天井裏空間１０１に臨む箇所に、筐体５０の内部に空気を吸引する吸気口５１と、筐体５０の外部に空気を排出する排気口５２とを設けている。この実施の形態では、筐体５０の側面部５０ａに吸気口５１が形成され、筐体５０の上面部５０ｂに排気口５２が形成されている。また、筐体５０内の上部に送風ファンからなる送風部６０が配設され、これにより、天井裏空間１１０の空気が吸気口５１を通して筐体５０内に導入され、内部に収容されている光源部１０、映像生成部２０、導光部３０、投写部４０、および制御部７０などを冷却して、排気口５２から排出される。この実施の形態では、吸気口５１が、多くの熱を発生する光源部１０の近くに形成されているが、これに限るものではない。また、図示しないが、逆に、筐体の上面部に吸気口を設けるとともに、側面部に排気口を設け、送風ファンからなる送風部により上面部の吸気口から吸引して側面部の排気口から排出するよう構成したりしてもよい。
【００２９】
光源部１０は、レーザダイオードなどの半導体レーザを有しており、半導体レーザからの光を励起光として、蛍光体を発光させる。導光部３０は、各種レンズ、ミラーあるいはロッドなどの光学部材から構成され、光源部１０から出射した光を映像生成部２０へ導く。映像生成部２０は、デジタル・マイクロミラー・デバイス（ＤＭＤ）や液晶パネルなどの素子を用い、映像信号に応じて、光を空間変調する。投写部４０は、レンズやミラーなどの光学部材から構成され、空間変調された光を拡大して被投射物に投写する。
【００３０】
（プロジェクターの使用例）
図４〜図７は、それぞれプロジェクター１の使用例について説明する模式図である。上述したように、プロジェクター１は天井部１００に埋め込まれている。プロジェクター１は、各種の被投写体に、文字、画像、動画など各種の映像を投射する。また、プロジェクター１は、外部記憶装置（例えばＵＳＢメモリ）が接続可能であり、外部記憶装置に蓄えられた映像データを読み込んで表示する。異なる映像を表示したい場合は、外部記憶装置に所望のデータを記憶させプロジェクター１に接続することで実現できる。また、プロジェクター１の投写光量や投写形状、投写歪補正が、赤外線などの外部制御信号により調整可能とされている。
【００３１】
図４に示すように、例えば、プロジェクター１により、ホテルなどにおいて、被投写体としての机上面２００にホテル内の案内情報などを投写する。机上面２００に圧力センサを配置して、客の指の操作を検知可能に構成するとともに、各机のプロジェクター１および圧力センサを、別途設けたシステム制御装置と接続し、プロジェクター１により、システム制御装置から入力される映像を表示するよう構成してもよい。客の表示開始のアクションを検知すると、システム制御装置は対象の机のプロジェクター１にメニュー画面を送信し、プロジェクター１は、それを机上面２００に投写する。客は、机上面２００において指でメニューを操作し、表示状態の調整（回転・拡大縮小など）や内容の確認、注文までを行う（第１の使用例）。
【００３２】
図５に示すように、例えば、プロジェクター１を、ホテルなどにおいて、被投写体としてのベッド２１０上に各種のキャラクターや動物、花などの画像を投射している。客の年齢や性別などに応じて、画像を選択するように構成してもよい（第２の使用例）。
【００３３】
図６に示すように、例えば、プロジェクター１を、ホテルなどにおいて、被投写体としての浴槽に入れた湯面２２０上に花などの画像や海外の海水面などの動画を投射している（第３の使用例）。また、図７に示すように、ホテルに到着した客に対して、その客に対応する客室を案内するように、被投写体としての廊下２３０における客室の手前箇所に、対応する客室であることや歓迎用のメッセージなどを投射している（第４の使用例）。
【００３４】
この構成によれば、天井部１００に形成された孔部１０２に、光源部１０などが収容された筐体５０を差し込んで、取付体５５により、筐体５０を天井部１００に埋め込まれた状態に係止させて簡単に組み付けることができる。このように、当該プロジェクター１を、天井部１００に簡単に、すなわち手間や時間をあまりかけることなく、組み付けることができる。また、いわゆるダウンライトが取り付けられていた箇所などに、ダウンライトが取り付けられていた孔部１０２を利用して、当該プロジェクター１を組み付けることもでき、その際の手間や時間も最小限に済ませることができる。
【００３５】
また、プロジェクター１が天井部１００に埋め込まれた状態で配設されるため、図４〜図７に示すように、プロジェクター１を使用することで、客などの利用者に各種の映像を表示することができて、情報を通知したり、各種の演出効果を与えたりすることも可能である。
【００３６】
また、プロジェクター１を使用しない場合でもプロジェクター１が目立ち難いため、違和感を生じない。また、ダウンライトと同様な照度や色調の全白映像を投射することで、ダウンライトの代わりに用いることも可能である。
【００３７】
また、上記構成によれば、また、上記のように、取付体５５として板ばねの抜け止め材を採用することで、極めて簡単にプロジェクター１を天井部１００に装着できる。また、抜け止め材で取付体５５を構成しているため、取付体を安価なもので構成できる。つまり、従来から用いられているいわゆる吊り下げ型のプロジェクターでは、大掛かりで専用の取付具である固定用支持板や支持用支柱が必要となって、多額の費用が掛かってしまっていたが、当該プロジェクター１によれば、いわゆる抜け止め材で取付体５５を構成しているため、安価なもので済ますことができる。
【００３８】
また、上記構成では、筐体５０の外部に空気を排出する排気口５２を、筐体５０における天井裏空間１０１に臨む箇所（この実施の形態では、筐体５０の上面部５０ｂ）に設けている。この構成により、光源部１０などで発生する熱により暖められた筐体５０の内部の空気を天井裏空間１０１に排出することができ、内部の熱により暖められた空気が投光口９０から投光される経路を通って、映像が揺らいでしまうなどの不具合を生じることを防止できる。すなわち、例えば、筐体５０の外部に空気を排出する排気口５２を、筐体５０の底面部５０ｄに設けて、内部の熱により暖められた空気が、投光口９０の下方を通るように構成すると、密度の異なる部分がある空気の中で光が屈折して、投射する映像が揺らいでしまい、不鮮明となったり、変形したりする不具合を生じることがある。これに対して、本構成によれば、光源部１０などで発生する熱により暖められた空気は室内空間１１０に排出されないため、前記不具合を生じることを防止でき、信頼性を向上させることができる。
【００３９】
また、上記構成では、筐体５０の内部に空気を吸引する吸気口５１を、筐体５０における天井裏空間１０１に臨む箇所（この実施の形態では、筐体５０の側面部５０ａ）に設けている。この構成により、天井裏空間１０１の空気を吸気口５１から筐体５０の内部に吸引して排気口５２から天井裏空間１０１に排出することができる。これにより、天井裏空間１０１の空気が吸引されるので、投光口９０から映像光が投射される室内空間１１０の空気を乱すことがない。したがって、室内空間１１０において乱れた空気とともに埃が舞うなどして、投光口９０から投射された映像光が埃により遮られるなどの可能性を低減させることができ、信頼性をさらに向上させることができる。
【００４０】
また、吸気口５１および排気口５２を通して、映像光が投射される室内空間１１０から外部に音が漏れることを最小限に抑えることができる。つまり、吸気口５１が、筐体５０における底面部５０ｄに形成されていると、室内空間１１０の音が吸気口５１および排気口５２を通して天井裏空間１０１に漏れ、さらに外部に拡がる恐れがあるが、この構成によれば、このような不具合を防止できる。
【００４１】
なお、上記の実施の形態では、吸気口５１が設けられている筐体５０の上面部５０ｂは、外側が上方となる単なる平面形状とされている場合を述べたが、これに限るものではない。例えば、図８に示すように、筐体５０の上部、例えば上面部５０ｂの外周寄り箇所などに傾斜面５０ｅを形成し、この傾斜面５０ｅに排気口５２を設けてもよい。
【００４２】
この構成によれば、排気口５２が筐体５０の上面部５０ｂ（上方に向く箇所）に設けられている場合と比較して、埃などが排気口５２を通して筐体５０の内部に侵入することを少なめに抑えることができる。
【００４３】
また、図９（ａ）、（ｂ）に示すように、筐体５０における排気口５２が形成されている傾斜面５０ｅを二重に形成し（この実施の形態では、傾斜面５０ｅを略径方向に二重に形成している）、これらの傾斜面５０ｅ、５０ｅが重なった箇所に対して直交する方向に見て、排気口５２（５２Ａ、５２Ｂ）同士の位置が重なっていない（すなわち、互いに周方向に対して異なる位置に形成する）よう構成してもよい。
【００４４】
この構成によれば、排気口５２（５２Ａ、５２Ｂ）同士の位置が異なっているので、埃などが排気口５２を通して筐体５０の内部に侵入することをさらに少なく抑えることができて、一層信頼性が向上する。
【００４５】
また、上記の実施の形態では、１つのプロジェクター１により単独で被投写体に投写する場合を述べたが、これに限るものではなく、図１０に示すように、複数のプロジェクター１により複合的に被投写体に投写してもよい。この場合には、電源部８０を設けた電源ユニットに制御部を配設して、この制御部により、被投写体に複合的に映像が投写されるよう制御するように構成すると好適である。
【００４６】
また、上記の実施の形態では、取付体５５として板ばねを採用した場合を述べたが、これに限るものではない。例えば、図１１に示すように、筐体５０の側面部５０ａにおいて上下に延びる形状の長溝５０ｆを形成し、この長溝５０ｆに沿ってスライド自在でかつ、側方に突出するように回動自在の係止材からなる抜け止め材を取付体５６として採用してもよい。なお、この取付体５６を用いて、このプロジェクター１を天井部１００に組み付ける際には、取付体５６が筐体５０内に後退して収納させた状態で、天井部１００の孔部１０２に筐体５０を挿入した後、取付体５６を筐体５０から一部が外側に突出するように回転させるとともに下降させ、この取付体５６と筐体５０の鍔状枠部５０ｃとにより天井部１００を挟持した状態で固定する。
【００４７】
この取付体５６を用いても、極めて簡単にプロジェクター１を天井部１００に装着できる。また、この取付体５６を用いた場合でも、取付体５５を安価なもので構成できる。但し、取付体としては、上記構造に限るものではなく、筐体５０の鍔状枠部５０ｃを利用して天井部１００にねじ止めしたり、接着剤で鍔状枠部５０ｃを天井部１００に接着したりすることも可能である。また、この場合に、予め、筐体５０の鍔状枠部５０ｃに対応する天井部１００の上面に補助枠などを配設して、天井部１００を補助枠と鍔状枠部５０ｃとで挟持するようにねじ止めするなどしてもよい。
【００４８】
また、上記実施の形態では、筐体５０の内部に空気を吸引する吸気口５１を、筐体５０における天井裏空間１０１に臨む箇所に設けられている場合を述べたが、これに限るものではなく、筐体５０の底面部５０ｄに設けてもよい。但し、この場合には、投光口９０から投写する箇所の空気が乱れ、舞い上がった埃などで映像がゆがむなどしないように、投光口９０から離れた箇所から吸気することが好ましい。
【００４９】
また、上記実施の形態では、筐体５０が円筒形である場合を述べたが、これに限るものではなく、筐体５０が四角形状や多角形状の角筒形であってもよいことはもちろんである。
【産業上の利用可能性】
【００５０】
上記実施の形態では、使用例として、プロジェクターをホテルの天井部に組み付ける場合を述べたが、これに限るものではなく、当該プロジェクターを、各種の建物や構造物などに装着して利用することもできる。
【符号の説明】
【００５１】
１      プロジェクター（投写型映像表示装置）
１０    光源部
２０    映像生成部
３０    導光部（導光光学系）
４０    投写部（投写光学系）
５０    筐体
５０ａ  側面部
５０ｂ  上面部
５０ｃ  鍔状枠部
５０ｄ  底面部
５１    吸気口
５２    排気口
５５、５６    取付体
６０    送風部
７０    制御部
８０    電源部（電源ユニット）
９０    投光口
１００  天井部
１０１  天井裏空間
１０２  孔部
１１０  室内空間
【図１】
2016145850.tif 000003
【図２】
2016145850.tif 000004
【図３】
2016145850.tif 000005
【図８】
2016145850.tif 000006
【図９】
2016145850.tif 000007
【図１０】
2016145850.tif 000008
【図１１】
2016145850.tif 000009
【図４】
2016145850.tif 000010
【図５】
2016145850.tif 000011
【図６】
2016145850.tif 000012
【図７】
2016145850.tif 000013